(57)【要約】【課題】差動伝送における伝送品質を改善できるコネクタを提供すること。【解決手段】相手側コネクタに接続する接触部と接続対象物に接続する端子部とを備えたコンタクトと、コンタクトを保持したハウジングとを有している。コンタクトは、複数の信号コンタクトと複数のグランドコンタクトとからなる。信号コンタクトは２本でペアを構成する。接触部側では、信号コンタクトのペアをグランドコンタクトで挟むように同一列に配列する。端子側では、信号コンタクトとグランドコンタクトとが平行列上に別々に配列され、かつ、グランドコンタクトの隣接したもの（１５ｂ、１５ｂ）間に信号コンタクトのペア（１４ｂ、１４ｂ）が対向し、互いに協働して略台形状の配置を形成する。【選択図】図８
2008041656.tif 000002
【特許請求の範囲】
【請求項１】
接続対象物に搭載されて相手側コネクタと接続するコネクタであって、前記コネクタの接触部側に配置され前記相手側コネクタに接続する接触部と前記コネクタの端子側に配置され前記接続対象物に接続する端子部とを有するコンタクトを含み、
前記コンタクトは、複数の信号コンタクトと複数のグランドコンタクトとを含み、前記信号コンタクトは複数ペアをなしており、前記グランドコンタクトは相互間に間隔をもって配置されており、
前記接触部側では、前記信号コンタクトのペアが前記間隔中にそれぞれ配置されており、
前記端子部側では、前記信号コンタクトと前記グランドコンタクトとが平行列上に別々に配列され、かつ、前記信号コンタクトのペアが前記間隔にそれぞれ対向していることを特徴とするコネクタ。
【請求項２】
前記端子部側では、前記グランドコンタクトは第１の列に配置され、前記信号コンタクトは前記第１の列に平行な第２の列に配置され、これにより前記信号コンタクトと前記グランドコンタクトとが前記第１の列の一側に少なくとも一つの台形状の配置を形成している、請求項１に記載のコネクタ。
【請求項３】
前記端子部側では、前記グランドコンタクトは第１の列に配置され、前記信号コンタクトは、前記第１の列に平行でかつ前記第１の列の両側にそれぞれ位置した第２の列及び第３の列に配置され、これにより前記信号コンタクトと前記グランドコンタクトとが前記第１の列の両側に少なくとも二つの台形状の配置を形成している、請求項１に記載のコネクタ。
【請求項４】
前記少なくとも二つの台形状の配置は前記第１の列に沿って千鳥足状に配置されている、請求項３に記載のコネクタ。
【請求項５】
前記コンタクトを保持したハウジングと、前記ハウジングによって保持され、前記接続対象物と接続するグランド端子部を有するグランドプレートとを、さらに有する、請求項１から４のいずれかに記載のコネクタ。
【請求項６】
前記グランド端子部は前記グランドコンタクトの端子部間に配置されている、請求項５に記載のコネクタ。
【請求項７】
前記コンタクトは、前記グランドプレートの一側に配置された導電性の下段端子を含む、請求項５に記載のコネクタ。
【請求項８】
前記コンタクトはさらに導電性の上段端子を含み、前記前記グランドプレートは前記上段端子と前記下段端子との間に配置されている、請求項７に記載のコネクタ。
【請求項９】
複数のグランド用端子と複数の信号用端子とこれらを固定した固定部材とを含む電気部品であって、
前記グランド用端子と前記信号用端子は前記固定部材に固定され、全区間または一部の区間において、第１の方向に関しては、前記グランド用端子２本間の中心線と前記信号用端子の差動ペアをなすもの間の中心線とが同一線上になるように、グランド用端子、信号用端子、信号用端子、グランド用端子の順に並べ、第１の方向に直交する第２の方向に関しては、前記グランド用端子と前記信号用端子の配列を複数列に分け、一つの列に前記グランド用端子を隣接したもの間に間隔をおいて配置し、前記信号用端子の差動ペアをなすものを前記間隔に対向するように配置することにより、前記グランド用端子の隣接したものと前記差動ペアをなすものとで台形状の配置を形成していることを特徴とする電気部品。
【請求項１０】
前記全区間または前記一部の区間において、前記台形状の配置が前記第１の方向に複数繰り返し得られており、前記台形状の配置の隣接したもの間で前記グランド用端子が共有されている、請求項９に記載の電気部品。
【請求項１１】
請求項９又は１０に記載の電気部品を含む電気コネクタ。
【請求項１２】
前記全区間または前記一部の区間において、前記台形状の配置が前記第１の方向に複数繰り返し得られており、前記台形状の配置の隣接したもの間で前記グランド用端子が共有されている、請求項１１に記載の電気コネクタ。
【発明の詳細な説明】
【技術分野】
【０００１】
本発明は、接続対象物に搭載されるコネクタなどの電気部品に関するものである。
【背景技術】
【０００２】
一般的なコネクタは、基板などに接続される端子側と、相手コネクタに接続される嵌合側とを含んでいる。そのコネクタは、端子側と嵌合側との間にのびた複数の導電性コンタクトを備えている。通常、コンタクトは、端子側と嵌合側とで同じピッチを持つように配列されることが多い。
【０００３】
しかし、コンタクトのピッチが端子側と嵌合側とで同じであると、スペースが十分ではなくてコネクタが実装困難なことがある。その対策として、コンタクトを端子側では規則的な千鳥足状に配列することがある。
【０００４】
コンタクトの配列については、他にも様々な形態が提案されている（例えば、特許文献１及び特許文献２参照）
【０００５】
【特許文献１】特表２００５−５１８０６７
【特許文献２】特表２００４−５３４３５８
【発明の開示】
【発明が解決しようとする課題】
【０００６】
コネクタが差動信号の伝送に使用される場合ある。その場合には、コンタクトはプラス信号のためのプラスの信号端子とマイナス信号のためのマイナスの信号端子とに分かれ、そして両者で差動ペアを形成する。
【０００７】
図１−３を用いて、発明者らの研究途上で得られたいくつかの端子配列について説明する。なお、５１はコネクタの嵌合側、５２はコネクタの端子側、Ｓ＋はプラスの信号端子、Ｓ−はマイナスの信号端子、及びＧはグランド端子を示す。
【０００８】
図１に示すように端子側５２において破線楕円により囲まれた信号端子Ｓ＋、Ｓ−で差動ペアを形成することが考えられる。しかし、伝送路が同断面でなくなり、伝送性能的に劣ることとなる。したがって、インピーダンスマッチングが困難、クロストークが大きいなどの伝送品質面での欠点がある。
【０００９】
また、図２に示すように端子側５２において破線楕円により囲まれた信号端子Ｓ＋、Ｓ−で差動ペアを形成することも考えられる。この場合には、差動ペア内は同断面となる。しかし、嵌合側５１で信号端子Ｓ＋、Ｓ−とグランド端子Ｇとが１列に配列されるので、信号端子が、隣接するペアの信号端子に近づき、クロストークが大きくなる。また、断面の異なるペアが生じ、伝送特性にも差が生じる。したがって、インピーダンスマッチングが困難、クロストークが大きいなどの伝送品質面での欠点がある。
【００１０】
また、図３に示すように端子側５２において破線楕円により囲まれた信号端子Ｓ＋、Ｓ−で差動ペアを形成することも考えられる。この場合には、全ての差動ペアを同断面とすることができる。しかし、グランド用端子の本数が増え、ピッチ方向スペースが余分に必要になる。
【００１１】
それ故に本発明の例示的目的は、差動伝送における伝送品質を改善できる電気コネクタ及び電気部品を提供することにある。
【００１２】
本発明の他の例示的目的は、無駄な芯数やスペースを省ける電気コネクタ及び電気部品を提供することにある。
【課題を解決するための手段】
【００１３】
本発明の例示的態様によれば、接続対象物に搭載されて相手側コネクタと接続するコネクタであって、前記コネクタの接触部側に配置され前記相手側コネクタに接続する接触部と前記コネクタの端子側に配置され前記接続対象物に接続する端子部とを有するコンタクトを含み、前記コンタクトは、複数の信号コンタクトと複数のグランドコンタクトとを含み、前記信号コンタクトは複数ペアをなしており、前記グランドコンタクトは相互間に間隔をもって配置されており、前記接触部側では、前記信号コンタクトのペアが前記間隔中にそれぞれ配置されており、前記端子部側では、前記信号コンタクトと前記グランドコンタクトとが平行列上に別々に配列され、かつ、前記信号コンタクトのペアが前記間隔にそれぞれ対向しているものが得られる。
【００１４】
前記端子部側では、前記グランドコンタクトは第１の列に配置され、前記信号コンタクトは前記第１の列に平行な第２の列に配置され、これにより前記信号コンタクトと前記グランドコンタクトとが前記第１の列の一側に少なくとも一つの台形状の配置を形成していてもよい。
【００１５】
前記端子部側では、前記グランドコンタクトは第１の列に配置され、前記信号コンタクトは、前記第１の列に平行でかつ前記第１の列の両側にそれぞれ位置した第２の列及び第３の列に配置され、これにより前記信号コンタクトと前記グランドコンタクトとが前記第１の列の両側に少なくとも二つの台形状の配置を形成していてもよい。
【００１６】
前記少なくとも二つの台形状の配置は前記第１の列に沿って千鳥足状に配置されていてもよい。
【００１７】
前記コンタクトを保持したハウジングと、前記ハウジングによって保持され、前記接続対象物と接続するグランド端子部を有するグランドプレートとを、さらに有してもよい。
【００１８】
前記グランド端子部は前記グランドコンタクトの端子部間に配置されていてもよい。
【００１９】
前記コンタクトは、前記グランドプレートの一側に配置された導電性の下段端子を含んでもよい。
【００２０】
前記コンタクトはさらに導電性の上段端子を含み、前記前記グランドプレートは前記上段端子と前記下段端子との間に配置されていてもよい。
【００２１】
本発明の他の例示的態様によれば、複数のグランド用端子と複数の信号用端子とこれらを固定した固定部材とを含む電気部品であって、前記グランド用端子と前記信号用端子は前記固定部材に固定され、全区間または一部の区間において、第１の方向に関しては、前記グランド用端子２本間の中心線と前記信号用端子の差動ペアをなすもの間の中心線とが同一線上になるように、グランド用端子、信号用端子、信号用端子、グランド用端子の順に並べ、第１の方向に直交する第２の方向に関しては、前記グランド用端子と前記信号用端子の配列を複数列に分け、一つの列に前記グランド用端子を隣接したもの間に間隔をおいて配置し、前記信号用端子の差動ペアをなすものを前記間隔に対向するように配置することにより、前記グランド用端子の隣接したものと前記差動ペアをなすものとで台形状の配置を形成しているものが得られる。
【００２２】
前記全区間または前記一部の区間において、前記台形状の配置が前記第１の方向に複数繰り返し得られており、前記台形状の配置の隣接したもの間で前記グランド用端子が共有されていてもよい。
【００２３】
本発明のさらに他の例示的態様によれば、上述した電気部品を含む電気コネクタが得られる。
【００２４】
前記全区間または前記一部の区間において、前記台形状の配置が前記第１の方向に複数繰り返し得られており、前記台形状の配置の隣接したもの間で前記グランド用端子が共有されていてもよい。
【発明の効果】
【００２５】
本発明によると、グランド用端子を信号用端子とは別の列に配置し、かつ、これらに略台形状の配置を形成させているので、ペア内及びペア間を全て同断面とすることができ、差動信号の伝送品質を向上し、且つ無駄な芯数やスペースを省くことができる。さらに、差動信号を伝送する電気部品の全区間または一部の区間において、上述した略台形状の配置を形成することにより、グランド端子と信号用端子との距離をインピーダンスマッチングに適した一定の距離に保つことができる。
【発明を実施するための最良の形態】
【００２６】
図４〜図８を参照して、本発明の第１の実施形態に係る電気部品としての電気コネクタについて説明する。
【００２７】
図４及び図５に示すコネクタは、プリント基板などの接続対象物に搭載されて用いられ、相手側コネクタと接続するレセプタクル側コネクタであり、複数の導電性の上段端子１１と複数の導電性の下段端子１２とを含む多数のコンタクトと、これらのコンタクトを保持した絶縁性の固定部材としてのハウジング２と、ハウジング２の外側に配した導電性のシェルまたは外郭部材３とを含んでいる。
【００２８】
要部の分解状態を示す図６をも参照して、説明を続ける。
【００２９】
上段端子１１と下段端子１２との間には、導電性のグランドプレート１３が配置されている。グランドプレート１３は、勿論、ハウジング２に固定されている。上段端子１１は、第１の方向Ａ１に一列に配列された同形状のものである。
【００３０】
図７をも参照すると、下段端子１２は２種類の形状をもつものである。即ち、下段端子１２は、複数の信号コンタクト１４と、複数のグランドコンタクト１５とからなる。各信号コンタクト１４は信号用接触部１４ａと信号用端子１４ｂとを有している。各グランドコンタクト１５はグランド用接触部１５ａとグランド用端子１５ｂとを有している。信号用接触部１４ａとグランド用接触部１５ａは、第１の方向Ａ１に一列に配列されている。信号用端子１４ｂとグランド用端子１５ｂは、第１の方向Ａ１に直交する第２の方向Ａ２において離間した２列に、別々に配列されている。
【００３１】
さらに、信号コンタクト１４は２本でペアを構成している。ペアの信号コンタクト１４の信号用接触部１４ａは、第１の方向Ａ１において二つのグランドコンタクト１５の間に配置されている。即ち、接触部側では、信号コンタクト１４のペアをグランドコンタクト１５で挟むように同一列に配列されている。ペアの信号コンタクト１４の信号用接触部１４ａは、二つのグランドコンタクト１５の間に配置されている。
【００３２】
一方、ペアの信号コンタクト１４の信号用端子１４ｂは、二つのグランドコンタクト１５のグランド用端子１５ｂ間に対応して配置されている。即ち、端子側では、グランドコンタクト１５の隣接したものの相互間隔に信号コンタクト１４のペアが第２の方向Ａ２で対向し、後で詳述するような実質的台形状、即ち、台形状若しくは略台形状の配置を形成している。なお、実質的台形状の配置が第１の方向Ａ１に複数繰り返し得られており、それらの実質的台形状の配置の隣接したもの間でグランド用端子１５ｂが共有されている。
【００３３】
グランドプレート１３は、グランド用端子１５ｂと信号用端子１４ｂがハウジング２に配列された平面に平行に所定の距離を保って広がっている。さらに、グランドプレート１３は、接続対象物と接続するグランド端子部１３ａを備えている。グランド端子部１３ａは、グランド用端子１５ｂと信号用端子１４ｂが実質的台形状を形成している区間において、グランドコンタクト１５のグランド用端子１５ｂの隣接したもの間に同一線上に等ピッチとなるように配置されている。これにより、実装面積を増やすことなくグランドプレート１３を備えることができる。
【００３４】
図８は、上段端子１１、信号コンタクト１４、及びグランドコンタクト１５の接続対象物に対する接続位置関係を示している。Ｓ＋、Ｓ−はペアの信号コンタクト１４の信号用端子１４ｂの位置を示し、Ｇはグランド用端子１５ｂの位置を示す。
【００３５】
図８から、接続対象物との接続部、即ち、端子側では、信号コンタクト１４とグランドコンタクト１５とが２列に別々に配列され、かつ、グランドコンタクト１５の隣接したもの間に信号コンタクト１４のペアが対応して実質的台形状の配置を形成していることが分かるであろう。なお、コネクタの嵌合部、即ち、接触部側では信号コンタクト１４及びグランドコンタクト１５は第１の方向Ａ１に一列に配列されている。
【００３６】
上述したコネクタを換言して説明すると、第１の方向Ａ１に関しては、グランド用端子１５ｂ２本間の中心線と信号用端子１４ｂの差動ペアをなすもの間の中心線とが同一線上になるように、グランド用端子１５ｂ、信号用端子１４ｂ、信号用端子１４ｂ、グランド用端子１５ｂの順に並べ、第２の方向Ａ２に関しては、グランド用端子１５ｂと信号用端子１４ｂの配列を２列に分け、一方の列にグランド用端子１５ｂ２本を配置し、他方の列に信号用端子１４ｂの差動ペアをなすものを配置している。
【００３７】
図９〜図１２参照して、本発明の第２の実施形態に係る電気部品としての電気コネクタについて説明する。図４〜図８を用いて説明した電気コネクタと同様な部分については同じ参照符号を付して説明を省略する。
【００３８】
この電気コネクタは、図４〜図８の電気コネクタに備えられているグランドプレート１３が省略されている。この場合でも、ペアの信号コンタクト１４の信号用端子１４ｂは、二つのグランドコンタクト１５のグランド用端子１５ｂ間に対応して配置されている。即ち、端子側では、グランドコンタクト１５の隣接したものの相互間隔に信号コンタクト１４のペアが第２の方向Ａ２で対向し、実質的台形状の配置を形成している。なお、実質的台形状の配置が第１の方向Ａ１に複数繰り返し得られており、それらの実質的台形状の配置の隣接したもの間でグランド用端子１５ｂが共有されている。
【００３９】
この電気コネクタによれば、隣接する台形状の配置間でグランド用端子１５ｂを共有させることによって、余分な芯数やスペースを増やすことなく、下段側の差動ペア内及びペア間を全区間で同断面とすることができ、差動伝送の伝送品質を改善できる。
【００４０】
図１３〜図１７参照して、本発明の第３の実施形態に係る電気部品としての電気コネクタについて説明する。図４〜図８を用いて説明した電気コネクタと同様な部分については同じ参照符号を付して説明を省略する。
【００４１】
この電気コネクタは、図９〜図１２の電気コネクタに備えられている外郭部品３及び上段端子１１が省略されている。この場合でも、ペアの信号コンタクト１４の信号用端子１４ｂは、二つのグランドコンタクト１５のグランド用端子１５ｂ間に対応して配置されている。即ち、端子側では、グランドコンタクト１５の隣接したものの相互間隔に信号コンタクト１４のペアが第２の方向Ａ２で対向し、実質的台形状の配置を形成している。なお、実質的台形状の配置が第１の方向Ａ１に複数繰り返し得られており、それらの実質的台形状の配置の隣接したもの間でグランド用端子１５ｂが共有されている。
【００４２】
この電気コネクタによれば、隣接する台形状の配置間でグランド用端子１５ｂを共有させることによって、余分な芯数やスペースを増やすことなく、信号コンタクト１４の差動ペア内及びペア間を全区間で同断面とすることができ、差動伝送の伝送品質を改善できる。
【００４３】
図１８〜図２２参照して、本発明の第４の実施形態に係る電気部品としての電気コネクタについて説明する。図１３〜図１７を用いて説明した電気コネクタと同様な部分については同じ参照符号を付して説明を省略する。
【００４４】
この電気コネクタにおいては、図１３〜図１７の電気コネクタに比べ、信号コンタクト１４及びグランドコンタクト１５の各々の数が減少している。即ち、２本の信号コンタクト１４と２本のグランドコンタクト１５とを用いている。この場合でも、ペアの信号コンタクト１４の信号用端子１４ｂは、二つのグランドコンタクト１５のグランド用端子１５ｂ間に対応して配置されている。即ち、端子側では、グランドコンタクト１５の相互間隔に信号コンタクト１４のペアが第２の方向Ａ２で対向し、実質的台形状の配置を形成している。
【００４５】
この電気コネクタによれば、信号コンタクト１４の差動ペア内を全区間で同断面とすることができ、差動伝送の伝送品質を改善できる。
【００４６】
図５及び図１０と共に図２３を参照して、本発明の第４の実施形態に係る電気部品としての電気コネクタについて説明する。同様な部分については同じ参照符号を付して説明を省略する。
【００４７】
図５及び図１０に示した電気コネクタと同様に、信号コンタクト１４はＳ＋及びＳ−で示された複数のペアを成している。グランドコンタクト１５は相互間に間隔をもって配列されている。接触部側（図示せず）では、信号コンタクト１４のペアは、グランドコンタクト１５間の間隔中にそれぞれ配置されている。
【００４８】
図２３に示す端子部側では、信号コンタクト１４の信号用端子１４ｂとグランドコンタクト１５のグランド用端子１５ｂは、平行列上に別々に配列されている。具体的には、グランド用端子１５ｂは第１の列上で第１の方向Ａ１に配列されているが、信号用端子１４ｂは、第１の列に平行でかつ第２の方向Ａ２で第１の列の両側にそれぞれ別れた第２の列及び第３の列に配置されている。
【００４９】
ここで、信号用端子１４ｂは第１及び第２のグループに分かれている。第１のグループの信号用端子１４ｂは第２の列に配置されている。第２のグループの信号端子１４ｂは第３の列に配置されている。これは、第２のグループの信号用端子１４ｂを有する信号コンタクト１４は、第１のグループの信号用端子１４ｂを有する信号コンタクト１４に比べて第２の方向Ａ２に延長されていることを意味する。
【００５０】
図５及び図１０に示した電気コネクタと同様に、信号コンタクト１４のペアの信号用端子１４ｂは、グランド用端子１５ｂ間の間隔にそれぞれ対向している。信号用端子１４ｂとグランド用端子１５ｂは協働して少なくとも二つの実質的台形状の配置を形成している。
【００５１】
図２３に示すように、少なくとも二つの実質的台形状の配置は、グランド用端子１５ｂが配列されている第１の列に沿って千鳥足状に交互に配列されている。この点において、図２３の電気コネクタは、実質的台形状の配置がグランド端子１５ｂの列の一側にのみ配置されている前述の電気コネクタとは明らかに異なっている。
【００５２】
上述した電気コネクタのいずれにおいても、グランド用端子を信号用端子とは別の列に配置し、かつ、これらに略台形状の配置を形成させているので、ペア内及びペア間を全て同断面とすることができ、差動信号の伝送品質を向上し、且つ無駄な芯数やスペースを省くことができる。さらに、差動信号を伝送する電気部品の全区間または一部の区間において、実質的台形形の配置を形成することにより、グランド端子と信号用端子との距離をインピーダンスマッチングに適した一定の距離に保つことができる。
【００５３】
なお、上述した各電気コネクタで説明した「全区間」とは、コンタクトの配設方向（Ａ１）において端から端までを示す。「同断面」とは、図５の左右方向であるコンタクトの軸方向、即ち、相手側との嵌合離脱方向と直交する方向に断面を取り、断面形状が差動ペアで同一断面形状となる、或いは、差動ペアと対応する２つのグランドコンタクトで同一断面形状になることを言う。
【図面の簡単な説明】
【００５４】
【図１】本発明の研究途上で得られた端子配列の一例を示す説明図である。
【図２】本発明の研究途上で得られた端子配列の他例を示す説明図である。
【図３】本発明の研究途上で得られた端子配列のさらに他例を示す説明図である。
【図４】本発明の第１の実施形態に係る電気コネクタの斜視図である。
【図５】図４の電気コネクタの要部Ｖの断面図である。
【図６】図５に示す要部の分解斜視図である。
【図７】図５の一部のみを取り出して示した斜視図である。
【図８】図４〜図７に示した電気コネクタの端子配列を示す説明図である。
【図９】本発明の第２の実施形態に係る電気コネクタの斜視図である。
【図１０】図９の電気コネクタの要部Ｘの断面図である。
【図１１】図１０に示す要部の分解斜視図である。
【図１２】図９〜図１１に示した電気コネクタの端子配列を示す説明図である。
【図１３】本発明の第３の実施形態に係る電気コネクタの斜視図である。
【図１４】図１３の電気コネクタのハウジングを示し、（ａ）及び（ｂ）は互いに異なる方向から見たそれぞれ斜視図である。
【図１５】図１３の電気コネクタの信号コンタクトを示す斜視図である。
【図１６】図１３の電気コネクタのグランドコンタクトを示す斜視図である。
【図１７】図１２に示した電気コネクタの端子配列を示す説明図である。
【図１８】本発明の第４の実施形態に係る電気コネクタの斜視図である。
【図１９】図１８の電気コネクタのハウジングを示し、（ａ）及び（ｂ）は互いに異なる方向から見たそれぞれ斜視図である。
【図２０】図１８の電気コネクタの信号コンタクトを示す斜視図である。
【図２１】図１８の電気コネクタのグランドコンタクトを示す斜視図である。
【図２２】図１８に示した電気コネクタの端子配列を示す説明図である。
【図２３】本発明の第５の実施形態に係る電気コネクタを説明するための部分図を、端子配列と共に示す図である。
【符号の説明】
【００５５】
２  固定部材としてのハウジング
３  シェルまたは外郭部品
１１  上段端子
１２  下段端子
１３  グランドプレート
１３ａ  グランド端子部
１４  信号コンタクト
１４ａ  信号用接触部
１４ｂ  信号用端子
１５  グランドコンタクト
１５ａ  グランド用接触部
１５ｂ  グランド用端子
【図１】
2008041656.tif 000003
【図２】
2008041656.tif 000004
【図３】
2008041656.tif 000005
【図４】
2008041656.tif 000006
【図５】
2008041656.tif 000007
【図６】
2008041656.tif 000008
【図７】
2008041656.tif 000009
【図８】
2008041656.tif 000010
【図９】
2008041656.tif 000011
【図１０】
2008041656.tif 000012
【図１１】
2008041656.tif 000013
【図１２】
2008041656.tif 000014
【図１３】
2008041656.tif 000015
【図１４】
2008041656.tif 000016
【図１５】
2008041656.tif 000017
【図１６】
2008041656.tif 000018
【図１７】
2008041656.tif 000019
【図１８】
2008041656.tif 000020
【図１９】
2008041656.tif 000021
【図２０】
2008041656.tif 000022
【図２１】
2008041656.tif 000023
【図２２】
2008041656.tif 000024
【図２３】
2008041656.tif 000025